(57)【要約】【課題】  床板の敷設方向の自由度が広がる【解決手段】  床板４０の下に敷設され、この床板４０を加熱することにより床板上の空間４５を暖房する床暖房用マット３であって、弾力性を有するマット状の基材５と、この基材５の表面に設けられる電気ヒーター線（発熱手段）７と、この電気ヒーター線７を含む基材５の上に設けられる小根太１６、１７とを備え、小根太１６と小根太１７は互いに交差し、格子状に設けられ、床暖房用マット３の配置する向きに関係なく床板を一方の方向３６または他方の方向３７に敷設することができる。【選択図】              図１
2005300018.tif 000002
【特許請求の範囲】
【請求項１】
床板の下に敷設され、該床板を加熱することにより床板上の空間を暖房する床暖房用マットであって、弾力性を有するマット状の基材と、該基材の表面または内部に設けられるとともに電気的に発熱可能な発熱手段と、該発熱手段を含む基材の上に設けられる小根太とを備え、該小根太は格子状に設けられてなる床暖房用マット。
【発明の詳細な説明】
【技術分野】
【０００１】
本発明は、床板を加熱することにより床板の上の空間を暖房する床暖房用マットに関するものである。
【背景技術】
【０００２】
従来の床暖房用マットとしては、たとえば柔軟性を有する基材と、この柔軟性を有する基材の上に設けられるシート状物およびヒーター線を一体化させたヒーターシートと、このヒーターシートの上に設けられるアルミシートと、このアルミシートの上に設けられる小根太とを備えたものが知られている（特許文献１）。柔軟性を有する基材は、厚手の不織布や軟質合成樹脂発泡体などであり、この基材の上に設けられるヒーターシートのヒーター線は蛇行状に設けられる。
【０００３】
さらに、蛇行状に設けられるヒーター線の数条おきに蛇行間隔が広くなる広間隔部が形成され、この広間隔部のおのおのに上記小根太が配置されている。複数の小根太は互いに平行に配置され、かつ一方向に配置されている。床板は、小根太の長手方向に対して直交する方向に設けられるが、床板の長手方向の端は小根太の上に位置するように設けられる。
【特許文献１】特開２００３−１６６７２０号公報
【発明の開示】
【発明が解決しようとする課題】
【０００４】
しかしながら、従来の床暖房用マットは、複数の小根太が互いに平行で同一方向（一方の方向）に設けられるので、床板はこれに直交するように他方の方向に設けられるが、小根太と同じ一方の方向に設けようとすると、床板の下に小根太が無い箇所が発生するので、一方の方向に床板を設けることはできなかった。このように、床板の長手方向の向きは床暖房用マットの小根太の方向が決まると必然的に決まり、部屋に敷設する床暖房用マットの小根太の向きに関係なく床板の敷設方向を決めることができず、床板を張る方向の自由度が狭かった。
【０００５】
本発明の課題は、床板の張り方向の選択の自由度が広がることである。
【課題を解決するための手段】
【０００６】
上記課題を解決するため本発明は、床板の下に敷設され、この床板を加熱することにより床板上の空間を暖房する床暖房用マットであって、弾力性を有するマット状の基材と、この基材の表面または内部に設けられるとともに電気的に発熱可能な発熱手段と、この発熱手段を含む基材の上に設けられる小根太とを備え、小根太は格子状に設けられてなることを特徴とする。
【０００７】
このようにすることにより、床暖房用マットの小根太は格子状に設けられるので、床板の長手方向の端を互いに直交する小根太のどちらかの上に位置させて床板を敷設することができる。すなわち、床暖房用マット自体の配置する向きに関係なく床板を一方の方向または他方の方向に敷設することができる。
【０００８】
また、基材は、弾力性を有しマット状であるので、床暖房用マットの上に床板を敷設したときに、基材は床板の裏側に密着する。基材の表面に発熱手段が設けられる場合は、発熱手段も床板の裏側に密着する。基材または/および発熱手段が床板の裏側に密着するので、発熱手段で発生した熱は床板に伝熱しやすく、床暖房の効率を向上させる。
【０００９】
次に本発明を構成する各要件についてさらに詳しく説明する。本発明の床暖房用マットは、床板の裏面に密着するように敷設されるとともに床下地材の上に設けられるもので、基材の表面または内部に設けられる発熱手段により発熱する熱を利用して床板を加熱し、この床板の上部空間を暖房するものである。
【００１０】
基材は、弾力性または圧縮可能なマット状の材料で、不織布、網状シート、紙、孔あきシートなど数ｍｍ厚である。
【００１１】
発熱手段は、電気的に発熱可能なもので、線状（電気ヒーター線）、面状（面発熱体）などである。発熱手段は、基材の表面に貼着または内部に埋設して設けられる。さらに、発熱手段は、小根太の格子のそれぞれ設けられても良いし、基材の略全面に渡って設けられても良い。発熱手段として電気ヒーター線を使用し、それが小根太の下を通過させる場合は、小根太の下側にヒーター線が通過可能な切欠き溝を形成しておくと良い。なお、発熱手段の近傍でこれに沿わせて感熱線（センサー線）を設けると良い。感熱線を設けることにより床板の温度を制御するとともに過熱を防止する。
【００１２】
小根太は、格子状に設けられ、細長状の材料を縦、横格子状に連結しても良いし、板状の材料を打ち抜きにより格子状に形成しても良い。小根太は、ビスなどにより基材を介して床下地板に固定される。基材が弾力性を有しているので小根太の下に位置する基材は圧縮される。
【００１３】
各小根太の形状は特に限定されないが、一般的には断面矩形で細長状または短冊状の板、あるいは棒状の材料を利用しても良い。小根太は、床板にかかる圧縮力に十分耐える材料を使用するが、曲げ性または可撓性を有する材料が良い。小根太が曲げ性または可撓性を有することにより、格子状の小根太を使用する床暖房用マットは、コンパクトに巻くことができ、輸送、運搬や取り扱いが容易になる。曲げ性または可撓性を有する小根太の材質は、合板、木質板、木質繊維板（ＭＤＦなど）、木削片板、単板積層板などの木質系をはじめ合成樹脂系、鉄、銅、アルミニウム合金などの金属系などである。
【００１４】
本発明の床暖房用マットは、発熱手段を含む基材の略全面上に発熱手段で発生した熱を基材全面に分散させる熱分散シートを設けると良い。熱分散シートは、小根太の下に位置する。熱分散シートを設けることにより、床板の床暖房用マットに対応する部分が全面に渡って加熱され、暖房の効率を向上させる。
【００１５】
熱分散シートは、可撓性を有し熱伝導性の良いものであれば特に限定されないが、たとえばスパンボンドなどの不織布、網、紙などで形成されたシートの表面に金属薄板または金属箔を貼着またはこのシートを二つ用意し、これら二つのシートの間に金属薄板または金属箔を挟んで貼着したものでも良い。
【００１６】
発熱手段や熱分散シートを基材に貼着する接着剤としては、たとえば酢酸ビニル系、酢酸ビニル・アクリル系、エチレン・酢酸ビニル系、アクリル・エチレン系、ウレタン系などを使用する。
【発明の効果】
【００１７】
本発明によれば、小根太が格子状に設けられるので、一方の方向、他方の方向を問わず床板の端を小根太の上に位置させて敷設することができ、床板の張り方向の選択の自由度が広がる。
【発明を実施するための最良の形態】
【００１８】
以下、本発明に係る床暖房用マットの実施例を図面に基づいて詳細に説明する。なお、図１〜６において、同一または同等部分には同一符号を付けて示す。
【実施例１】
【００１９】
図１は、本実施例の床暖房用マット３を使用した床暖房装置１を示し、床板４０を他方の方向３７に敷設した状態の斜視図である。図２は、図１において、床板４０を除いた状態の平面図である。床暖房装置１は、図示されていない床下地材の表面に設置される床暖房用マット３ａ、３ｂと、この床暖房用マット３ａ、３ｂと部屋の周囲との間で床下地材などの表面に設けられる周辺パネル２６と、これら床暖房用マット３ａ、３ｂおよび周辺パネル２６の上に敷設される床板４０とを有する。
【００２０】
さらに、暖房用マット３ａ、３ｂは、床板４０の下に密着させて敷設され、床板４０を加熱することにより床板上の空間４５を暖房するものである。また、床暖房用マット３ａ、３ｂは、床板４０が敷設された状態で圧縮され、周辺パネル２６と同じ、たとえば３ｍｍ厚となる。
【００２１】
図1に示すように、床暖房装置１において、床板４０の厚みは、たとえば９ｍｍのものが選定される。床板４０は、他方の方向３７に敷設され、その他方の方向３７側の端の継目４２は、少なくとも一方の方向３６の小根太１６の上に位置するように敷設される。さらに、床暖房用マット３ａ、３ｂは、電気ヒーター線７（図２、３）を有するが、電気ヒーター線７は、主として小根太１６に沿うように、かつ蛇行状に設けられる。電気ヒーター線７は、小根太１７と交差し、床暖房用マット３の中央片側に位置する端子カバー２４に出入する。
【００２２】
図２に示すように、床暖房用マット３ａと床暖房用マット３ｂは、左右対称である。さらに、床暖房用マット３ａ、３ｂは、先に記したように、一方の方向３６に設けられる小根太１６と、他方の方向３７に設けられる小根太１７とを有し、小根太１６と小根太１７とは互いに直角に交差し格子状である。
【００２３】
図３は、図１におけるＡ−Ａ線断面図である。床暖房用マット３ａは、合板、木質板、木質繊維板（ＭＤＦなど）などの木質系の材料で形成された床下地材４７の表面に設けられる。さらに、床暖房用マット３ａは、弾力性を有するマット状の基材５と、この基材５の表面に貼着される電気ヒーター線（発熱手段）７とを備える。また、電気ヒーター線７に沿って感熱線９が設けられる。さらに、電気ヒーター線７および感熱線９を含む基材５の上には、電気ヒーター線７で発生した熱を分散させる熱分散シート１１と、この熱分散シート１１の上に配置される小根太１６とを備える。
【００２４】
基材５は、弾力性を有するマット状の材料で、不織布、網状シート、紙、孔あきシートなどで形成され、その厚みは数ｍｍ厚で、床板４０と床下地材４７との間に挟まれ圧縮された状態で、たとえば略３ｍｍ厚となる。
【００２５】
小根太１６は、床板からの圧縮力に十分耐え、かつ曲げ性または可撓性を有する材料が良く、合板、木質繊維板（ＭＤＦなど）などの木質系や合成樹脂系の材料を使用すると良い。小根太の横断面は矩形で細長状または短冊状の板である。小根太１６は、木ねじ（ビス）１９により床下地板４７に固定される。先に記したように、基材５が弾力性を有しているので小根太１６の下に位置する基材５および熱分散シート１１は圧縮され、小根太１６を含めた床暖房用マット３の厚みは略３ｍｍとなる。
【００２６】
床下地材４７は、本根太４９に支えられる。本根太４９同士の間には、たとえばポリスチレンフォームなどの断熱材５１が設けられると良い。こうすることにより床下への放熱量を少なくし暖房効率を向上させる。
【００２７】
床暖房用マット３ａの上には床板４０が敷設される。床板４０は、合板、木質繊維板（ＭＤＦなど）、木削片板、単板積層板などの木質系が使用され、その表面は化粧面とされる。床板４０の大きさは、たとえば幅３０３ｍｍ×長さ１８１８ｍｍ×厚み９〜１２ｍｍのものが選定される。さらに、床板４０は、釘４４を用いて小根太１６を介して床下地材４７に固定される。また、床板４０の継目位置には雄実４０ａ、雌実４０ｂが形成される。なお、図３は、床暖房用マット３ａについての説明であるが、床暖房用マット３ｂについても床暖房用マット３ａと同じ構造であり、かつ小根太１７についても、床板からの圧縮力に十分耐え、かつ曲げ性または可撓性を有する材料であるので、その説明を省略する。
【００２８】
図４は、図３に示す熱分散シート１１の拡大断面図である。熱分散シート１１は、スパンボンドなどの不織布で形成される二つのシート１３、１４の間に熱伝導性および可撓性を有するアルミニウム箔（薄板）１２が挟まれ接着剤で貼着される。二つのシート１３、１４の間にアルミニウム箔１２を貼着する接着剤としては、たとえば酢酸ビニル系、酢酸ビニル・アクリル系、エチレン・酢酸ビニル系、アクリル・エチレン系、ウレタン系などである。
【００２９】
図５は、図１におけるＢ矢視拡大断面図である。他方の方向３７に設けられる小根太１７は、電気ヒーター線７および感熱線９と交差（直交）する。したがって、小根太１７の電気ヒーター線７および感熱線９が交差する部分には下側に開口した切欠き溝２２が形成される。
【００３０】
また、図１に示すように、床暖房装置１は、コントローラー３２を有し、床暖房用マット３に設けられる端子カバー２４から引き出される第１のケーブル２８と、コントローラー３２から引き出される第２のケーブル２９とが中間コネクター３１を介して接続される。コントローラー３２には電力を供給する電源コード３３が接続される。
【００３１】
電源コード３３は、このままコントローラー３２に接続されたまま用いられても良いが、電源コード３３にプラグ３４を取り付けておき、この電源コード３３を床暖房用マット３の通電試験用として仮設的に使用し、通電試験が終了したときに、この電源コード３３を取り外し、コントローラー３２と図示していない分電盤との間を電源配線しても良い。床暖房用マット３の電気的制御は、そのオン・オフ、暖房の強弱、過熱防止、漏電防止、その他暖房予約などである。
【００３２】
図６は、図１の床暖房用マット３を使用した床暖房装置２を示し、床板４１を一方の方向３６に敷設した状態の斜視図である。本床暖房装置２において、床板４１は一方の方向３６に敷設される。床板４１の一方の方向３６側の端の継目４３は、少なくとも他方の方向の小根太１７の上に位置するように敷設される。図６におけるその他の構造と作用は、図１〜５に示した床暖房用マット３ないし床暖房装置１と同じであるのでその説明を省略する。
【００３３】
次に、実施例１の床暖房用マット３の作用について説明する。図１または６に示すように、床暖房用マット３において、小根太１６と小根太１７とは格子状に設けられるので、床板４０または床板４１の長手方向の端を互いに直交する小根太１６、１７のどちらかの上に位置させることができる。床板４０または床板４１の長手方向の端を小根太１６または小根太１７の上に位置させることができるので、床暖房用マット３を固定し、敷設することができる。このように、床暖房用マット３の配置する向きに関係なく床板を一方の方向３６または他方の方向３７に敷設することができる。また、小根太が曲げ性または可撓性を有することにより、格子状に形成される小根太を使用しても床暖房用マット３は、コンパクトに巻くことができ、輸送、運搬や取り扱いが容易になる。
【００３４】
基材５は、弾力性を有しマット状であるので、床暖房用マット３の上に床板４０または４１を敷設したときに、基材５は圧縮され床板４０または４１の裏側に密着する。同時に、基材５表面に貼着された電気ヒーター線７も床板４０または４１の裏側に密着する。基材５および電気ヒーター線７が床板の裏側に密着するので、電気ヒーター線７で発生した熱は床板４０または４１に良好に伝熱し、床暖房の効率を向上させる。
【００３５】
以上この発明を図示の実施例について詳しく説明したが、それを以ってこの発明をそれらの実施例のみに限定するものではなく、この発明の精神を逸脱せずして種々改変を加えて多種多様の変形をなし得ることは云うまでもない。
【産業上の利用可能性】
【００３６】
本発明の床暖房用マットは、集合住宅や個別住宅の部屋の床暖房用あるいは事務所、理髪店、美容院などの業務用室の床暖房用として利用可能である。
【図面の簡単な説明】
【００３７】
【図１】本発明の床暖房用マットを使用した床暖房装置を示し、床板を他方の方向に敷設した状態の斜視図である。
【図２】図１において、床板を除いた状態の平面図である。
【図３】図１におけるＡ−Ａ線断面図である。
【図４】図３に示す熱分散シートの拡大断面図である。
【図５】図１におけるＢ矢視拡大断面図である。
【図６】図１の床暖房用マットを使用した床暖房装置を示し、床板を一方の方向に敷設した状態の斜視図である。
【符号の説明】
【００３８】
１、２  床暖房装置
３、３ａ、３ｂ  床暖房用マット
５  基材
７  電気ヒーター線（発熱手段）
１１  熱分散シート
１６  一方の方向の小根太
１７  他方の方向の小根太
４０、４１  床板
４５  床板上の空間
【図１】
2005300018.tif 000003
【図２】
2005300018.tif 000004
【図３】
2005300018.tif 000005
【図４】
2005300018.tif 000006
【図５】
2005300018.tif 000007
【図６】
2005300018.tif 000008